(57)【要約】  本開示は、聴診器を提供する。聴診器は、音捕捉素子と、チェストピースホルダと、接続構造とを含む。チェストピースホルダは、聴診器の末端に配置され、音捕捉素子に結合され、接続構造を含む。チェストピースは、チェストピースホルダの接続構造に取り外し可能に結合された転位構造を含む。
2020531119.tif 000002
【特許請求の範囲】
【請求項１】
音捕捉素子と、
聴診器の末端に配置され、前記音捕捉素子に結合され、接続構造を含む、チェストピースホルダと、
前記チェストピースホルダの前記接続構造に取り外し可能に結合された転位構造を含むチェストピースとを含む聴診器。
【請求項２】
前記転位構造は、複数の突起を含み、前記接続構造は、複数のノッチと、複数のウィングと、側壁とを有するフランジを含み、前記ノッチおよび前記ウィングは、前記フランジの周りに交互に配置され、前記ノッチおよび前記側壁は、複数のノッチ収容空間を形成し、前記ウィングおよび前記側壁は、複数のウィング収容空間を形成する請求項１に記載の聴診器。
【請求項３】
前記フランジの前記ノッチ収容空間の各々によって収容されている前記転位構造の前記突起の各々が、前記聴診器の第１の状態に対応し、
前記フランジの前記ウィング収容空間の各々によって少なくとも部分的に収容されている前記転位構造の前記突起の各々が、前記聴診器の第２の状態に対応する請求項２に記載の聴診器。
【請求項４】
前記音捕捉素子および前記チェストピースホルダの間の仕切板であって、中央孔およびピボットを含む仕切板と、
前記仕切板および前記チェストピースホルダの間の切換ピースであって、前記ピボットの周りに回転可能な扉を含む切換ピースと、を更に含む請求項３に記載の聴診器。
【請求項５】
前記仕切板の前記中央孔をブロックしない前記切換ピースの前記扉が、前記切換ピースおよび前記仕切板の第３の状態に対応し、
前記仕切板の前記中央孔を少なくとも部分的にブロックする前記切換ピースの前記扉が、前記切換ピースおよび前記仕切板の第４の状態に対応する請求項４に記載の聴診器。
【請求項６】
前記切換ピースは、前記ピボットの周りに回転可能な突出部をさらに含み、前記チェストピースホルダは、溝をさらに含み、前記突出部は、前記溝によって前記チェストピースと接触する請求項５に記載の聴診器。
【請求項７】
前記聴診器は、前記切換ピースの前記突出部が第１の位置にあるとき、前記第３の状態にあり、前記聴診器は、前記切換ピースの前記突出部が第２の位置にあるとき、前記第４の状態にある請求項６に記載の聴診器。
【請求項８】
前記中央孔を通過して前記音捕捉素子まで至る音伝達経路を少なくとも部分的にブロックするために、前記切換ピースおよび前記仕切板が前記第４の状態にあるとき、前記聴診器は前記第１の状態にあり、
前記切換ピースの回転は、前記突出部による前記チェストピースの回転により始動され、前記切換ピースおよび前記仕切板を前記第４の状態から前記第３の状態に変換し、
前記中央孔を通過して前記音捕捉素子まで至る前記音伝達経路のブロックを解除するために、前記切換ピースおよび前記仕切板が前記第３の状態にあるとき、前記聴診器は前記第２の状態にある請求項６に記載の聴診器。
【請求項９】
前記チェストピースに取り外し可能に結合されたダイアフラムをさらに含み、前記ダイアフラムは、異なるサイズであってもよい請求項１に記載の聴診器。
【請求項１０】
前記チェストピースは、前記ダイアフラムによって覆われていない延長表面と、前記延長表面上に配置された１つ以上のＥＣＧプレートとをさらに含む請求項９に記載の聴診器。
【請求項１１】
前記聴診器は、
末端部分および近位部分を有するハウジングと、
前記ハウジング内の制御モジュールと、
信号入力コンポーネントと接続可能であり、前記ハウジングの前記近位部分上に配置された出力モジュールと、をさらに含み、
前記音捕捉素子は前記制御モジュールに結合され、かつ、前記音捕捉素子はマイクロフォンである請求項１に記載の聴診器。
【請求項１２】
前記出力モジュールは、第１のラッチと、第１のポゴピンと、異なる信号入力コンポーネントと接続するための第１のオスネジ山とを含む請求項１１に記載の聴診器。
【請求項１３】
前記異なる信号入力コンポーネントの各々は、第１のメスネジ山と、第１のポゴピンコネクタと、第１のラッチ溝とを含む請求項１２に記載の聴診器。
【請求項１４】
前記信号入力コンポーネントおよび前記出力モジュールを接続するための回転留め具をさらに含む請求項１１に記載の聴診器。
【請求項１５】
前記出力モジュールは、
第２のラッチ溝と、第２のポゴピンと、異なる信号入力コンポーネントと接続するための第２のメスネジ山とを含む請求項１１に記載の聴診器。
【請求項１６】
前記異なる信号入力コンポーネントの各々が、第２のオスネジ山と、第２のポゴピンコネクタと、第２のラッチとを含む請求項１５に記載の聴診器。
【請求項１７】
前記信号入力コンポーネントは、Ｙ字管、オーディオ出力ジャック、電話ジャック、または無線信号伝達コンポーネントである請求項１１に記載の聴診器。
【請求項１８】
末端部分および近位部分を有するハウジングと、
前記ハウジング内の制御モジュールと、
信号入力コンポーネントと接続可能であり、前記ハウジングの前記近位部分上に配置された出力モジュールと、
前記ハウジングの前記末端部分に配置され、接続構造を含む、チェストピースホルダと、
前記チェストピースホルダの前記接続構造に取り外し可能に結合された転位構造を含むチェストピースとを含むデジタル聴診器。
【請求項１９】
前記チェストピースは、延長表面と、前記延長表面上に配置された１つ以上のＥＣＧプレートとをさらに含む請求項１８に記載のデジタル聴診器。
【発明の詳細な説明】
【発明の詳細な説明】
【０００１】
〔関連出願〕
本出願は、２０１７年８月１７日に出願された米国仮特許出願第６２／５４６，６９４号の優先権を主張し、その全体が参照により本明細書に組み込まれる。
【０００２】
〔分野〕
本発明は、聴診の分野に関する。より詳細には、本発明は、交換可能に取り外すことができるモジュール式チェストピースを有する聴診器に関する。
【０００３】
〔背景〕
心臓および身体は、心臓、肺、腸、循環系、およびコロトコフ音を含む数百の特定の音を生成する。これらの音およびそれらの組み合わせは、正常な状態および異常な状態を示す。これらの音の知識は、医師に貴重な診断情報を提供する。これらの音を聞き、それらを診断補助として使用する当業者には、聴診として知られている。医師が聴診を実行するために使用する道具は、聴診器と呼ばれる。
【０００４】
聴診器の設計は、フランスの医師Ｒｅｎｅ  Ｌａｅｎｎｅｃによる聴診器の最初の発明以来、約２００年前からあまり変わっていない。聴診器は、医師および他の医療従事者の世代のための主要な診断道具であった。しかしながら、従来の聴診器によって収集された音は、容易に記録、捕捉、デジタル化、および分析することができない。医師は、音が従来の聴診器によって受信されている間に、音を即座に分析する必要がある。
【０００５】
最近、多くのデジタル聴診器が、最終的に市場までの道を見出した。聴診の音は、市販のデジタル聴診器によって記録、捕捉、デジタル化、または分析することができる。市販のデジタル聴診器または従来のデジタル聴診器の各々は一般に、身体に接触して音を収集するためのチェストピースおよびダイアフラムと、チェストピースおよびダイアフラムによって収集された音を捕捉するための音響センサと、マイクロフォンによって捕捉された音をデジタル化し、分析し、または記録するための制御モジュールとから構成される。これらのデジタル聴診器は、コロトコフ音、または心臓、肺、腸、または循環系からの音を検出するように構成され得る。
【０００６】
しかしながら、ほとんどの市販のデジタル聴診器は、１つの特定の信号入力コンポーネントに結合されるように設計されている。信号入力コンポーネントは、耳栓付きＹ字管と、オーディオ出力ジャックと、電話ジャックと、または無線信号伝達コンポーネントと、することができる。それらは、他の機能性のモジュール式追加または統合を可能にするために、あまり柔軟性を提供しない。したがって、従来のデジタル聴診器の用途および機能は、単一出力設計によって制限される。
【０００７】
さらに、成体用または小児用のチェストピースのような、異なる器官または異なる被験者によって生成される音について聴診する場合、異なるチェストピースが必要とされ得る。それにもかかわらず、従来の聴診器またはデジタル聴診器の両方におけるチェストピースは、交換可能ではない。従来の聴診器またはデジタル聴診器を１人の被験者に使用した後、ユーザは聴診被験者または標的器官が変更されたときに、別の聴診器に切り替えなければならない。
【０００８】
さらに、チェストピースを交換する際の大きな欠点は、デジタル聴診器内の音響センサを周囲環境にさらすことである。デジタル聴診器内の音響センサは、切り替え中にチェストピースによって遮蔽されないため、音響センサは損傷を受けやすい。チェストピースを交換する際の別の欠点は、交換によって生じるスクラビング音またはノイズである。ユーザは、デジタル聴診器に結合されたＹ字管の耳栓をまだ装着していることに気付かずに、意図せずにチェストピースを交換することがあり、この場合、発生したノイズが大きくなり、ユーザに刺激を与えることになる。
【０００９】
したがって、交換可能なチェストピースを有する改善された聴診器を提供することが望ましい。
【００１０】
モジュール式であり、他の信号入力コンポーネントを統合することができる改良された聴診器設計を提供することも望ましい。
【００１１】
また、チェスト切換時に音伝達経路をブロックし、音響センサを遮蔽する、改良された聴診器を提供することが望ましい。
【００１２】
〔発明の概要〕
当技術分野の欠点に鑑みて、本発明の目的は、様々な状況下で聴診器の動作または性能に有益であり得る、様々なサイズ、幾何学的形状、材料、および他の構造的な構成を有する交換可能なチェストピースまたはダイアフラムを有するモジュール式聴診器を提供することである。
【００１３】
本発明の別の目的は、様々な信号入力コンポーネントと共に動作し、動作可能に接続することができるモジュール式デジタル聴診器を提供することである。
【００１４】
本発明の別の目的は、付加的なセンサモジュールと共に動作することができるモジュール式聴診器を提供することである。
【００１５】
本発明の別の目的は、チェストピースの交換中に音響センサのための保護機構を提供することである。
【００１６】
本開示の実施形態は、聴診器を提供する。聴診器は、音捕捉素子と、聴診器の末端上に配置され、音捕捉素子に結合され、接続構造を含むチェストピースホルダと、チェストピースホルダの接続構造に取り外し可能に結合された転位構造を含むチェストピースとを含む。
【００１７】
好ましい実施形態では、転位構造が、複数の突起を含む。接続構造は、複数のノッチと、複数のウィングと、側壁とを有するフランジを含む。ノッチ及びウィングは、フランジの周りに交互に配置される。ノッチおよび側壁は、複数のノッチ収容空間を形成し、ウィングおよび側壁は、複数のウィング収容空間を形成する。
【００１８】
好ましい実施形態では、フランジのノッチ収容空間の各々によって収容される転位構造の突起の各々が、聴診器の第１の状態に対応する。
【００１９】
好ましい実施形態では、フランジのウィング収容空間の各々によって少なくとも部分的に収容される転位構造の突起の各々が、聴診器の第２の状態に対応する。
【００２０】
好ましい実施形態では、聴診器が、音捕捉素子およびチェストピースホルダの間に仕切板をさらに含む。仕切板は、中央孔とピボットとを含む。
【００２１】
好ましい実施形態では、聴診器が、仕切板およびチェストピースホルダの間に切換ピースをさらに含む。切換ピースは、ピボットの周りに回転可能な扉を含む。
【００２２】
好ましい実施形態では、切換ピースの扉が、切換ピースおよび仕切板の第３の状態に対応して、仕切板の中央孔をブロックしない。
【００２３】
好ましい実施形態では、切換ピースの扉が、切換ピースおよび仕切板の第４の状態に対応して、仕切板の中央孔を少なくとも部分的にブロックする。
【００２４】
好ましい実施形態では、切換ピースが、ピボットの周りに回転可能な突出部をさらに含む。チェストピースは、溝をさらに含み、突出部は、溝によってチェストピースと接触する。
【００２５】
好ましい実施形態では、デジタル聴診器が、切換ピースの突出部が第１の位置にあるとき、第３の状態にある。
【００２６】
好ましい実施形態では、デジタル聴診器が、切換ピースの突出部が第２の位置にあるとき、第４の状態にある。
【００２７】
好ましい実施形態では、中央孔を通過して音捕捉素子まで至る音伝達経路を少なくとも部分的にブロックするために、切換ピースおよび仕切板が第４の状態にあるとき、聴診器は第１の状態にある。切換ピースの回転は、突出部によるチェストピースの回転により始動され、切換ピースおよび仕切板を第４の状態から第３の状態に変換する。中央孔を通過して音捕捉素子まで至る音伝達経路のブロックを解除するために、切換ピースおよび仕切板が第３の状態にあるとき、聴診器は第２の状態にある。
【００２８】
好ましい実施形態では、聴診器が、ダイアフラムをさらに含み、ダイアフラムは異なるサイズであり得る。
【００２９】
好ましい実施形態では、チェストピースが、ダイアフラムによって覆われていない延長表面と、延長表面上に配置された１つまたは複数のＥＣＧプレートとをさらに含む。
【００３０】
好ましい実施形態では、聴診器が、デジタル部および近位部分を有するハウジングと、ハウジング内の制御モジュールと、制御モジュールに結合されたマイクロフォンと、信号入力コンポーネントに接続可能であり、ハウジングの近位部分上に配置された出力モジュールとをさらに含む。
【００３１】
好ましい実施形態では、出力モジュールが、第１のラッチと、第１のポゴピンと、異なる信号入力コンポーネントと接続するための第１のオスネジとを含む。
【００３２】
好ましい実施形態では、異なる信号入力コンポーネントの各々が、第１のメスネジ山と、第１のポゴピンコネクタと、第１のラッチ溝とを含む。
【００３３】
好ましい実施形態では、出力モジュールが、第２のラッチ溝と、第２のポゴピンコネクタと、異なる信号入力コンポーネントと接続するための第２のメスネジ山とを含む。
【００３４】
好ましい実施形態では、異なる信号入力コンポーネントの各々が、第２のオスネジ山と、第２のポゴピンコネクタと、第２のラッチとを含む。
【００３５】
好ましい実施形態では、デジタル聴診器が、信号出力および出力モジュールを接続するための回転留め具をさらに含む。
【００３６】
本開示の実施形態は、デジタル聴診器を提供する。デジタル聴診器は、デジタル部および近位部分を有するハウジングと、ハウジング内の制御モジュールと、制御モジュールに結合されたマイクロフォンと、信号入力コンポーネントに接続可能であり、ハウジングの近位部分に配置された出力モジュールと、ハウジングの末端部分に配置され、接続構造を含むチェストピースホルダと、チェストピースホルダの接続構造に取り外し可能に結合された移動構造を含むチェストピースと、チェストピースに取り外し可能に結合されたダイアフラムとを含む。
【００３７】
〔図面の簡単な説明〕
本技術の実施は、添付の図面を参照して、単なる例として説明されない。
【００３８】
図１は、本開示の例示的な実施形態によるデジタル聴診器の斜視図である。
【００３９】
図２は、本開示の例示的な実施形態によるデジタル聴診器の別の斜視図である。
【００４０】
図３は、本開示の例示的な実施形態によるデジタル聴診器の分解図である。
【００４１】
図４Ａおよび４Ｂは、本開示の例示的な実施形態による、チェストピースホルダ前面図および背面図であり、図４Ｃはチェストピースホルダの斜視図であり、図４Ｄおよび４Ｅは、チェストピースホルダの断面図である。
【００４２】
図５Ａおよび５Ｂは、本開示の例示的な実施形態による、異なる状態にあるチェストピースおよびチェストピースホルダの斜視図である。
【００４３】
図６Ａおよび６Ｂは、本開示の例示的な実施形態による、別のデジタル聴診器の分解図である。
【００４４】
図７は、本開示の例示的な実施形態による、別のデジタル聴診器の分解図である。
【００４５】
図８Ａおよび図８Ｂは、本開示の例示的な実施形態による、異なる状態にある仕切板および切換部品の斜視図である。
【００４６】
図９Ａおよび９Ｂは、異なる状態にあるデジタル聴診器の分解図であり、図９Ｃおよび９Ｄは、本開示の例示的な実施形態による、異なる状態にあるデジタル聴診器の斜視図である。
【００４７】
図１０は、本開示の例示的な実施形態による、別のデジタル聴診器の分解図である。
【００４８】
図１１Ａおよび１１Ｂは、本開示の例示的な実施形態による、別のデジタル聴診器の斜視図である。
【００４９】
図１２は、本開示の例示的な実施形態による、図１１Ａおよび１１Ｂのデジタル聴診器の分解図である。
【００５０】
図１３は、本開示の例示的な実施形態による、非デジタル聴診器の分解図である。
【００５１】
図１４は、本開示の例示的な実施形態による、別の非デジタル聴診器の分解図である。
【００５２】
図１５は、本開示の例示的な実施形態による、デジタル聴診器の近位部分上の斜視図である。
【００５３】
図１６は、本開示の例示的な実施形態による、信号入力コンポーネントおよびデジタル聴診器の近位部分の斜視図である。
【００５４】
図１７Ａ〜１７Ｃは、本開示の例示的な実施形態による、信号入力コンポーネント、デジタル聴診器、および複数の回転留め具の斜視図である。
【００５５】
図１８は、本開示の例示的な実施形態による、回転留め具および信号入力コンポーネントの斜視図である。
【００５６】
〔詳細な説明〕
以下、本開示の例示的な実施形態が示されている添付の図面を参照して、本開示をより十分に説明する。しかしながら、本開示は、多くの異なる形態で具現化されてもよく、本明細書に記載された例示的な実施形態に限定されるものとして解釈されるべきではない。むしろ、これらの例示的な実施形態は、本開示が詳細かつ完全であり、本開示の範囲を当業者に十分に伝えるように提供される。同様の参照番号は、本開示と考えられる同様の要素を指す。
【００５７】
図１を参照すると、本開示の例示的な実施形態によるデジタル聴診器１０が提供されている。デジタル聴診器１０は、末端部分Ａおよび近位部分Ｂを備えており、デジタル聴診器１０を使用する場合、末端部分Ａは、聴診対象の表面に近く、近位部分Ｂは、ユーザに近い。「ユーザ」というタームは、被験者に対して聴診を行う個人を指す。ユーザは聴診を行うために近位部分Ｂを保持することができ、末端部分Ａ上の１つまたは複数のコンポーネントは、デジタル聴診器１０を使用するときに被験者の表面と接触することができる。
【００５８】
図２を参照すると、本開示の例示的な実施形態によるデジタル聴診器１０の斜視図が提供されている。ハウジング１５は一般に、デジタル聴診器１０の外部を形成し、内部コンポーネントの保護を提供する。ユーザインターフェース１６は、デジタル聴診器１０の外部にあり、末端部分Ａおよび近位部分Ｂに対して実質的に中央の位置に配置されてもよい。ユーザインターフェース１６は、１つまたは複数の画面またはボタンを含み、ユーザはユーザインターフェース１６によってデジタル聴診器１０にコマンドを入力してもよい。また、ユーザは、ユーザインターフェース１６から指示、アドバイス、または聴診結果を受け取ることもできる。
【００５９】
図３を参照すると、本開示の例示的な実施形態によるデジタル聴診器１０の分解図が提供されている。マイクロフォン１４は、ハウジング１５内に挿入され、末端部分Ａ上に配置される。マイクロフォン１４は、アナログ信号を捕捉し、アナログ信号をハウジング１５内の制御モジュール（図示せず）に送信するデジタル聴診器１０内の音捕捉素子である。制御モジュールは、ユーザインターフェース１６からユーザからの命令またはコマンドを受信し、マイクロフォン１４に、アナログ信号の１つまたは複数の波長範囲を捕捉するように命令し、マイクロフォン１４からアナログ信号を受信し、アナログ信号をデジタル信号に変換し、デジタル信号を記録し、デジタル信号を分析し、次いで聴診結果を信号入力コンポーネントに送信することができる。制御モジュールは、アナログ‐デジタル変換のためのコンバータと、信号を分析または処理するためのプロセッサと、データまたは命令を記憶するためのメモリと、Ｉ／Ｏユニットとを含んでもよい。チェストピースホルダ１３は、チェストピース１２を受け入れるために末端部分Ａ上に配置される。チェストピース１２は、取り外し可能にチェストピースホルダ１３に結合されている。ダイアフラム１１は、軟質および可変性の材料からなり、チェストピース１２に取り外し可能に結合されている。ダイアフラムの直径は、約３０〜５０ｍｍである。好ましくは、ダイアフラムの直径が、成年被験者の聴診のために４７ｍｍであり、または小児の聴診のために３５ｍｍである。ダイアフラム１１及びチェストピース１２はデジタル聴診器１０を使用するときに、被験者の表面から聴診音を収集する。異なる被験者に対して聴診を行う場合、ユーザは、衛生のために被験者間でダイアフラム１１を変更することができる。
【００６０】
図４Ａを参照すると、本開示の例示的な実施形態による、チェストピース１２およびチェストピースホルダ１３の前面図が提供される。「前面」というタームは、聴診を行うときに被験者に対向する、または向かい合う面を指す。チェストピース１２は、転位構造１２１および中央孔１２２を含む。転位構造１２１は、チェストピース１２と一体化して外側に突出している複数の突起１２１ａを含む。各突起１２１ａは、別の突起１２１ａと別れている。チェストピースホルダ１３は、中央孔１３２および接続構造１３１を含む。接続構造１３１は、フランジ１３１１、位置決め開口１３１２、表示１３１３、および凹状空間１３１４（図４Ａには示されていないが、図４Ｃ〜４Ｅに示されている）を含む。フランジ１３１１は、チェストピースホルダ１３の前面側上で内側に延びるフランジ構造であり、複数のウィング１３１１ａと複数のノッチ１３１１ｂとを含む。ウィング１３１１ａは、フランジ１３１１の内側に突出する部分であり、ノッチ１３１１ｂは、ウィング１３１１ａ以外のフランジ１３１１の部分である。ノッチ１３１１ｂ及びウィング１３１１ａは、フランジ１３１１の周りに交互に配置されている。従って、ウィング１３１１ａの各々は、ノッチ１３１１ｂの内の１つの隣にあり、ウィング１３１１ａおよびノッチ１３１１ｂの数は、常に同じである。ノッチ１３１１ｂと突起１２１ａの数も同じである。チェストピースホルダ１３には、少なくとも２つのノッチ１３１１ｂがあり、ノッチ１３１１ｂおよび突起１２１ａの数は、チェストピースホルダ１３およびチェストピース１２において構造的および幾何学的にもっともらしい数とすることができる。凹状空間１３１４はチェストピースホルダ１３の前面側のフランジ１３１１によって決められ、それによって取り囲まれるが、これについては以下でさらに説明する。
【００６１】
図４Ｂを参照すると、本開示の例示的な実施形態による、チェストピース１２およびチェストピースホルダ１３の背面図が提供される。「背面」というタームは前面側とは反対の側を指し、聴診を行うときにユーザに面する側とすることができる。チェストピース１２の転位構造１２１は位置決め開口１３１２と整列するための複数の位置決め開口１２１ｂと、チェストピースホルダ１３の表示１３１３と整列するための背面側の表示１２１ｃとをさらに含み、この整列は、チェストピースホルダの挿入をより容易にする。位置決め開口１２１ｂは、位置決め開口１２１１および位置決め開口１２１２を含む。
【００６２】
図４Ｃを参照すると、本開示の例示的な実施形態による、チェストピース１２およびチェストピースホルダ１３の斜視図が提供される。チェストピース１２の転位構造１２１は、側面にネジ１２１ｄをさらに含んでもよい。フランジ１３１１は、側壁１３１１ｃをさらに含む。凹状空間１３１４は、チェストピース１２と構造的に相補的である。
【００６３】
図４Ｄを参照すると、本開示の例示的な実施形態による、チェストピースホルダ１３のウィング１３１１ａの断面図が提供される。側壁１３１１ｃおよび複数のウィング１３１１ａは、凹状空間１３１４のエッジに複数のウィング収容空間１３１１ｄを形成する。図４Ｅを参照すると、本開示の例示的な実施形態に従って、チェストピースホルダ１３のノッチ１３１１ｂの断面図が提供される。ノッチ１３１１ｂはウィング１３１１ａよりも短い。側壁１３１１ｃおよび複数のノッチ１３１１ｂは、凹状空間１３１４の別のエッジに複数のノッチ収容空間を形成する。
【００６４】
チェストピース１２は、チェストピースホルダ１３から取り外し可能に結合することができる。チェストピース１２の転位構造１２１は、チェストピースホルダ１３の接続構造１３１に取り外し可能に結合することができる。図５Ａおよび５Ｂを参照すると、本開示の例示的な実施形態による、チェストピース１２およびチェストピースホルダ１３の組み合わせの斜視図が提供される。図５Ａおよび５Ｂにおいて、チェストピース１２の背面側は、チェストピースホルダ１３の前面側に接触している。
【００６５】
図５Ａは、デジタル聴診器１０の第１の状態を示す。第１の状態は、突起１２１ａの各々がノッチ収容空間１３１１ｅ（図４Ｅに示される）の各々によって収容されることによって決められる。突起１２１ａの高さは、ノッチ収容空間１３１１ｅおよびウィング収容空間１３１１ｄの高さよりも小さく、したがって、転位構造１２１の突起１２１ａは、側壁１３１１ｃと、ノッチ１３１１ｂと、およびウィング１３１１ａと、によって形成される空間に概ね適合する。したがって、ユーザは、チェストピースホルダ１３の凹状空間１３１４に挿入することができる。チェストピース１２の表示１２１ｃ（図示せず）は、チェストピースホルダ１３の表示１３１３（図示せず）の位置に対応する。表示１２１ｃおよび表示１３１３によって提供されるマーキングを用いて、ユーザは、チェストピース１２およびチェストピースホルダ１３を正確に位置決めすることができる。第１の状態ではチェストピース１２の背面側の位置決め開口１２１１（図５Ａには示されていないが、図４Ｂに示されている）はチェストピースホルダの前面側の位置決め開口１３１２（図５Ａには示されていないが、図４Ａに示されている）と一致する。位置決め開口１２１１および位置決め開口１３１２の間の整合を補助するために、ボール（図示せず）を位置決め開口１３１２内に配置することができる。第１の状態ではボールは位置決め開口１２１１と位置決め開口１３１２の両方に収容され、したがって、ユーザは、チェストピース１２がチェストピースホルダ１３によって適切に受け入れられたことを通知される。
【００６６】
図５Ｂは、デジタル聴診器１０の第２の状態を示す。第２の状態は、突起１２１ａの各々がウィング収容空間１３１１ｄ（図４Ｄに示す）の各々によって少なくとも部分的に収容されることによって決められる。突起１２１ａは、ウィング収容空間１３１１ｄによって部分的に又は全体的に収容されることができる。換言すれば、突起１２１ａがウィング収容空間１３１１ｄに部分的にしか収容されていない第２の状態では、突起１２１ａの一部を前面から見ることができる。チェストピース１２の中央孔１２２は、チェストピースホルダ１３の中央孔１３２の上方に位置している。第２の状態では、チェストピースホルダ１３の表示１３１３が前面側から見ることができ、チェストピース１２の背面側の位置決め開口１２１２（図５Ｂには示されていないが、図４Ｂに示されている）は、チェストピースホルダ１３の位置決め開口１３１２（図５Ｂには示されていないが、図４Ａに示されている）と一致する。位置決め開口１３１２内に配置されたボール（図示せず）は、位置決め開口１２１２と位置決め開口１３１２との間の整合を補助することができ、したがって、ユーザは、チェストピース１２とチェストピースホルダ１３とが正確に結合されたことを通知される。ユーザは、聴診の準備のために、チェストピース１２にダイアフラム１１を取り付けることができる。
【００６７】
図６Ａおよび図６Ｂを参照すると、本開示の例示的な実施形態による、別のデジタル聴診器２０の斜視図が提供される。デジタル聴診器２０は、ダイアフラム２１と、チェストピース２２と、チェストピースホルダ２３と、ハウジング２５とを含む。図６Ａおよび６Ｂにおいて、ダイアフラム２１およびチェストピース２２は、チェストピースホルダ２３に既に結合されている。ハウジング２５は、ハウジング２５内に配置された制御モジュール（図示せず）を含む。チェストピース２２は、転位構造２２１と、窓２２２と、マイクロフォン（図示せず）と、変換器（図示せず）と、ポゴピンコネクタ２２３とを含む。マイクロフォンはチェストピース２２内に配置され、アナログ信号を捕捉し、アナログ信号を変換器に送信する。変換器はまた、チェストピース２２に配置され、アナログ信号をデジタル信号に変換し、デジタル信号をポゴピンコネクタ２２３に送信する。転位構造２２１は、チェストピース２２から外側に突出する複数の突起２２１ａと、複数の位置決め開口２２１ｂと、チェストピース２２から後方に延びる表示２２１ｃとを含む。チェストピースホルダ２３は、接続構造２３１と、窓２３２と、ポゴピン２３３とを含む。ポゴピン２３３は、ハウジング２５内の制御モジュールに結合されている。接続構造は、チェストピースホルダ２３の前面側上の内側に延びるフランジ２３１１と、位置決め開口２３１２と、フランジ２３１１によって決められ、取り囲まれた凹状空間２３１４とを含み、フランジ２３１１は複数のウィング２３１１ａと、複数のノッチ２３１１ｂと、側壁２３１１ｃとを含む。ウィング２３１１ａは、フランジ２３１１の内側に突出する部分であり、ノッチ２３１１ｂは、ウィング２３１１ａ以外のフランジ２３１１の部分である。ノッチ２３１１ｂおよびウィング２３１１ａは、フランジ２３１１の周りに交互に配置される。したがって、ウィング２３１１ａの各々は、ノッチ２３１１ｂの内の１つの隣にあり、ウィング２３１１ａおよびノッチ２３１１ｂの数は、常に同じである。ウィング２３１１ａおよび側壁２３１１ｃによって複数のウィング収容空間２３１１ｄが形成され、ノッチ２３１１ｂおよび側壁２３１１ｃによって複数のノッチ収容空間２３１１ｅが形成される。
【００６８】
チェストピース２２は、チェストピースホルダ２３に取り外し可能に結合することができる。凹状空間２３１４およびチェストピース２２の背面側は、互いに相補的である。転位構造２２１は、接続構造２３１に取り外し可能に結合することができる。第１の状態では、各突起２２１ａが各ノッチ収容空間２３１１ｅに収容され、チェストピース２２の背面側の位置決め開口２２１１は、チェストピースホルダの前面側の位置決め開口２３１２に一致する。位置決め開口２２１１と位置決め開口２３１２との間の整合を補助するために、ボール（図示せず）を位置決め開口２３１２内に配置することができる。第１の状態では、ボールが位置決め開口２２１１と位置決め開口２３１２の両方に収容される。
【００６９】
第２の状態の間、突起２２１ａの各々は、ウィング収容空間２３１１ｄの各々によって少なくとも部分的に収容される。窓２２２が窓２３２と一致すると、ポゴピンコネクタ２２３はポゴピン２３３の位置と一致し、それにより、デジタル信号は、ポゴピンコネクタ２２２からポゴピン２３３に送信され、さらに、分析および記録のために制御モジュールに送信されることができる。第２の状態の間、チェストピース２２の位置決め開口２２１１は、チェストピースホルダの位置決め開口２３１２と一致する。位置決め開口２３１２内に配置されたボール（図示せず）は、位置決め開口２２１２と位置決め開口２３１２との間の整合を補助することができ、したがって、ユーザは、チェストピース２２およびチェストピースホルダ２３が正確に結合されたことを通知される。ポゴピンコネクタ２２３およびポゴピン２３３の間の結合、および位置決め開口２２１２および位置決め開口２３１２の間の整合は、デジタル聴診器２０が、容易に使用可能であることを示唆する。
【００７０】
図７を参照すると、本開示の例示的な実施形態によるデジタル聴診器３０の分解図が提供されている。デジタル聴診器３０は、ダイアフラム３１と、チェストピース３２と、チェストピースホルダ３３と、マイクロフォン３４と、ハウジング３５と、仕切板３６と、切換ピース３７とを含む。マイクロフォン３４は、ハウジング３５内に挿入され、前面側の仕切板３６に対向している。仕切板３６および切換ピース３７はチェストピースホルダ３３およびマイクロフォン３４との間に配置され、仕切板３６は、切換ピース３７とマイクロフォン３４との間に配置されている。チェストピース３２は、チェストピースホルダ３３に取り外し可能に結合され、ダイアフラム３１はチェストピース３２に取り外し可能に結合される。
【００７１】
図８Ａおよび図８Ｂを参照すると、本開示の例示的な実施形態による、仕切板３６および切換ピース３７の斜視図が提供される。仕切板３６は、中央孔３６２とピボット３６３とを含む。中央孔３６２は、デジタル聴診器３０のマイクロフォン３４（図示せず）の位置に対応し、音伝達経路Ｌは、中央孔３６２を通ってマイクロフォン３４まで至ることができる。切換ピース３７は、突出部３７１と、扉３７２と、ピボット相補構造３７３と、突起部３７４とを含む。突出部３７１および扉３７２は、仕切板３６のピボット３６３を中心に回転可能である。扉３７２は、穴３７２ａおよびブロッキング部分３７２ｂを含む。ピボット相補構造３７３は、ピボット３６３に結合され、ピボット相補構造３７３の形状は、ピボット３６３と相補的である。ピボット３６３が棒状である場合、ピボット相補構造３７３はリング構造とすることができ、ピボット３６３が開口または凹部である場合、ピボット相補構造３７３は棒状構造とすることができる。
【００７２】
図８Ａは、仕切板３６及び切換ピース３７の第３の状態を示している。切換ピース３７の扉３７２は、仕切板３６の中央孔３６２をブロックしない。穴３７２ａは、中央孔３６２に対応しており、中央孔３６２を通ってマイクロフォン３４（図示せず）まで至る音伝達経路Ｌは、ブロックを解除される。突出部３７１は、第１の位置にあり、突起部３７４は、切換ピース３７および仕切板３６の第３の状態の間、第３の位置にある。第３の状態では、穴３７２ａおよび中央孔３６２によってチャンネルが形成され、聴診音は、空気によって穴３７２ａおよび中央孔３６２を通過することができる。聴診音は、チェストピースホルダ３３（図示せず）、チェストピース３２（図示せず）、またはダイアフラム３１（図示せず）によって聞こえてくることができる。
【００７３】
図８Ｂは、仕切板３６および切換ピース３７の第４の状態を示している。切換ピース３７の扉３７２は、仕切板３６の中央孔３６２を少なくとも部分的に又は完全にブロックする。穴３７２ａは、中央孔３６２に対応しておらず、仕切板３６の他の部分に対応している。切換ピース３７および仕切板３６が第４の状態である間、突出部３７１は、第２の位置にあり、突起部３７４は、第４の位置にある。音伝達経路Ｌは、中央孔３６２を通ってマイクロフォン３４（図示せず）に至り、扉３７２のブロッキング部分３７２ｂによって少なくとも部分的にまたは完全にブロックする。第４の状態では、聴診音は障害物に遭遇し、聴診音は、空気によってマイクロフォン３４に到達しないことがある。
【００７４】
仕切ピース３６には、扉３７２と接触するようにスプリング３６４を配置することができる。スプリング３６４は、第４の状態では緩められ、第３の状態では引き伸ばされる。第４の状態の間、突出部３７２が第１の位置にあり、扉３７２が中央孔３６２に対応するとき、スプリング３６４は引き伸ばされる。第３の状態の間、突出部３７２が第２の位置にあり、扉３７２が中央孔３６２を少なくとも部分的にブロックするとき、スプリング３６４は緩められる。従って、スプリング３６４は、切換ピース３７の位置を回復するために使用される。スプリング３６４はまた、突起部３７４、またはピボット３６３の周りで回転可能な切換ピース３７の他の部分と接触することができる。
【００７５】
なお、図８Ａおよび図８Ｂにおける切換ピース３７および仕切板３６の構成は、デジタル聴診器用であるが、非デジタル聴診器にも適用可能である。これらの構成が非デジタル聴診器に適用される場合、音伝達経路Ｌは、中央孔を通過し、図８Ａの非デジタル聴診器の音捕捉素子まで至り、音伝達経路Ｌは、図８Ｂの扉３７２のブロッキング部分３７２ｂによって少なくとも部分的にまたは完全にブロックされ、したがって、聴診音は非デジタル聴診器の音捕捉素子に到達しないことがある。
【００７６】
図９Ａおよび図９Ｂを参照すると、本開示の例示的な実施形態によるデジタル聴診器３０の分解図が提供されている。チェストピース３２は、背面側に突出する複数の突起３２１ａを含む。チェストピースホルダ３３は、フランジ３３１１と、凹状空間３３１４と、溝３３５とを含む。フランジ３３１１は、内側に突出する複数のウィング３３１１ａと、複数のノッチ３３１１ｂと、側壁３３１１ｃとを含む。複数のノッチ３３１１ｂは、フランジ３３１１上のウィング３３１１ａではない部分である。図４Ｄおよび図４Ｅの同様の構成によれば、側壁３３１１ｃおよびウィング３３１１ａによって複数のウィング収容空間３３１１ｄが形成され、側壁３３１１ｃおよびノッチ３３１１ｂによって複数のノッチ収容空間３３１１ｅが形成される。凹状空間３３１４は、チェストピース３２の背面側と相補的である。溝３３５は、円弧状の溝である。
【００７７】
図９Ａは、デジタル聴診器３０の第２の状態と、仕切板３６および切換ピース３７の第３の状態とを示す分解図である。図９Ａにおいて、第２の状態および第３の状態の間のデジタル聴診器３０のコンポーネント間の空間的関係を示すために、チェストピース３２と、チェストピースホルダ３３と、切換ピース３７と、ハウジング３５との間の距離が、拡大されている。突出部３７１は、第１の位置にあり、溝３３５内の位置内に対応する。突起３２１ａは、ウィング３３１１ａに対応する位置に配置されている。音伝達経路Ｌは、チェストピース３２の中心と、チェストピースホルダ３３の中心と、穴３７２ａと、中央孔３６２と、マイクロフォン３４とを組み合わせることにより確立される。
【００７８】
図９Ｂは、デジタル聴診器３０の第１の状態と、仕切板３６および切換ピース３７の第４の状態とを示す分解図である。図９Ｂにおいて、第１の状態および第４の状態の間のデジタル聴診器３０のコンポーネント間の空間的関係を示すために、チェストピース３２と、チェストピースホルダ３３と、切換ピース３７と、およびハウジング３５との間の距離が、拡大されている。突出部３７１は、第２の位置にあり、溝３３５内の別の位置内に対応する。突起３２１ａは、ノッチ３３１１ｂに対応する他の位置に配置されている。音伝達経路Ｌは、切換ピース３７のブロッキング部分３７２ｂによってにブロックされているので、聴診音は、空気によってマイクロフォン３４に伝わりにくい。
【００７９】
突出部３７１は、チェストピース３２に接触しており、突出部３７１の回転は、チェストピース３２の回転によって始動される。図９Ｃを参照すると、本開示の一実施形態による、第４の状態にあるときのチェストピースホルダ３３および切換ピース３７、ならびに第１の状態にあるときのデジタル聴診器３０の斜視図が提供される。突出部３７１は、溝３３５内の第２の位置にある。第４の状態における切換ピース３７および仕切板３６の構成は、チェストピース切換時または交換時に音響センサの保護機構を提供する。
【００８０】
図９Ｃから図９Ｄまでは、デジタル聴診器３０の第１の状態から第２の状態、切換ピース３７および仕切板３６の第４の状態から第３の状態までの変換が切換ピース３７の回転Ｒ１によって始動される。図９Ｃでは、チェストピース３２（図示せず）が各突起３２１ａが各ノッチ収容空間３３１１ｅ（図示せず）によって収容される第１の状態にある。チェストピース３２（図示せず）は、突出部３７１と既に接触しており、チェストピース３２の回転は、切換ピース３７の突出部３７１の回転Ｒ１を始動する。図９Ｃから図９Ｄまでのチェストピース３２の回転は、チェストピース３２をチェストピースホルダ３３に結合するために、ユーザによって開始され得る。
【００８１】
図９Ｄを参照すると、本開示の一実施形態による、第３の状態にあるときのチェストピースホルダ３３および切換ピース３７、ならびに第２の状態にあるときのデジタル聴診器３０の斜視図が提供される。突出部３７１は、溝３３５内の第１の位置にある。（図９Ｂに示すように）音伝達経路Ｌが確立され、聴診音は空気によってマイクロフォン３４に到達することができる。図９Ｄにおいて、デジタル聴診器３０は、第２の状態にあり、チェストピース３２の突起３２１ａの各々は、ウィング収容空間３３１１ｄによって収容される。デジタル聴診器３０の第２の状態中の突起３２１ａおよびウィング収容空間３３１１ｄの構成は、図５Ｂの突起１２１ａおよびウィング収容空間１３１１ｄの構成と同様である。
【００８２】
図９Ｄから図９Ｃまでは、切換ピース３７の回転Ｒ２により、デジタル聴診器３０の第２の状態から第１の状態、および切換ピース３７及び仕切板３６の第３の状態から第４の状態までの変換が始動される。切換ピース３７の突出部３７１の回転Ｒ２は、チェストピース３２の別の回転（図示せず）によって始動される。図９Ｄから図９Ｃまでのチェストピース３２の回転は、チェストピース３２を別のチェストピースに交換するために、または単にチェストピース３２を切り離すために、ユーザによって開始され得る。
【００８３】
図１０を参照すると、本開示の例示的な実施形態によるデジタル聴診器４０の分解図が提供されている。デジタル聴診器４０は、ハウジング４５と、マイクロフォン（図示せず）と、チェストピースホルダ（図示せず）と、２つの交換可能なチェストピース４２および４３とを含む。デジタル聴診器４０のチェストピースホルダは、チェストピース４２及び４３の両方に対して相補的である。チェストピース４２は、デジタル聴診器４０のチェストピースホルダと相補的なプラットフォーム４２１と、ダイアフラム（図示せず）と結合するためのダイアフラム面４２２とを含む。チェストピース４３は、デジタル聴診器４０のチェストピースホルダと相補的なプラットフォーム４３１と、別のダイアフラム（図示せず）と結合するためのダイアフラム面４３２とを含む。チェストピース４２のダイアフラムは、異なる被験者に対して聴診を行うために、チェストピース４３のダイアフラムよりも大きい。例えば、チェストピース４１は、チェストピース４１のダイアフラムがより小さいため、小児聴診用である。本開示のデジタル聴診器１０、２０、３０、および４０は、チェストピース及びチェストピースホルダの間に取り外し可能に結合する構成を有し、したがって、チェストピース上のダイアフラムが異なるサイズであるチェストピースを有することができる。交換可能なチェストピースの設計は、本開示のデジタル聴診器１０、２０、３０、および４０が異なる聴診シナリオに適用されることを可能にする。チェストピースおよびダイアフラムは、様々なサイズ、幾何学的形状、材料、または異なる状況下での聴診器の動作または性能に有益であり得る他の構造的構成を有し得る。
【００８４】
図１１Ａおよび図１１Ｂを参照すると、本開示の例示的な実施形態によるデジタル聴診器５０の斜視図が提供される。デジタル聴診器５０は、ダイアフラム５１と、チェストピース５２と、チェストピースホルダ５３と、ハウジング５５と、複数のＥＣＧプレート５８とを含む。チェストピース５２は、チェストピースホルダ５３に取り外し可能に結合することができる。ＥＣＧプレート５８は、チェストピース５２の前面側の延長表面上に配置することができ、ロジカルカップリングの損失、物理的結合による結び付け、またはチェストピース５２と十分に一体化されることによって、チェストピース５２と結合される。図１１Ａにおいて、延長領域とは、前面視において、ダイアフラム５１または聴診モジュール５１によって覆われていない領域である。複数のＥＣＧプレート５８は、従来のＥＣＧ機器におけるリード配置に対応して配置され得る。デジタル聴診器５０において、２つのＥＣＧプレート５８がチェストピース５２の一方の側に配置され、ＥＣＧプレート５８の一方がチェストピース５２の別の側に配置されている。デジタル聴診器５０は聴診およびＥＣＧ測定を同時に、または聴診モードとＥＣＧモードとの間で切り替えて行うことができる。
【００８５】
図１２を参照すると、本開示の実施形態によるデジタル聴診器５０の分解図が提供されている。デジタル聴診器５０は、前面側上にチェストピース５２に結合されるカバー５９をさらに含む。ＥＣＧプレート５８は、電力を測定するから、したがって、ＥＣＧプレート５８によって捕捉されたＥＣＧ信号を送信することにより、いくつかの回路（図示せず）は、チェストピース５２の内側に配置することができる。カバー５９は、回路を露出から保護し、従って、短絡を防止する。カバー５９は、聴診モジュール５１のための穴５９ａと、ＥＣＧプレート５８のための複数の穴５９ｂとを含む。穴５９ａおよび５９ｂは、聴診モジュール５１およびＥＣＧプレート５８の形状にそれぞれ一致する。ＥＣＧプレート５８は、カバー５９またはダイアフラム５１などの周囲のコンポーネントからＥＣＧプレート５８を絶縁するためのゴムエッジ５８１をさらに含んでもよい。
【００８６】
図１３を参照すると、本開示の例示的な実施形態による、非デジタル聴診器６０の分解図が提供されている。非デジタル聴診器６０は、ダイアフラム６１と、チェストピース６２と、チェストピースホルダ６３と、ベル６４と、チューブ６５とを含む。非デジタル聴診器６０を使用する場合、末端は聴診対象の表面に近く、近位端はユーザに近い。ダイアフラム６１は、チェストピース６２に取り外し可能に結合されている。チェストピースホルダ６３は、非デジタル聴診器６０の末端に配置され、ベル６４に結合され、ベル６４は、チューブ６５に結合される。ベル６４は、非デジタル聴診器６０の音捕捉素子とすることができる。また、音捕捉素子は、聴診音を捕捉する非デジタル聴診器の内部に形成された構造であってもよい。チェストピース６２およびチェストピースホルダ６３は、取り外すことができ、したがって、非デジタル聴診器６０内のチェストピース６２は、交換可能である。チェストピース６２およびチェストピースホルダ６３の取り外しおよび結合は、図５Ａおよび図５Ｂに示された機構およびそのそれぞれの説明と同様である。切換ピース３７および仕切板３６の構成は、ブロックまたはブロックを解除された音伝達経路を形成するために、チェストピースホルダ６３およびベル６４との間に挿入することができる。
【００８７】
図１４を参照すると、本開示の実施形態による非デジタル聴診器７０の分解図が提供されている。非デジタル聴診器７０は、ベル７５と、チェストピースホルダ（図示せず）と、２つの交換可能なチェストピース７２および７３とを含む。非デジタル聴診器７０のチェストピースホルダは、チェストピース７２及び７３の両方に相補的である。チェストピース７２は、非デジタル聴診器７０のチェストピースホルダに相補的なプラットフォーム７２１と、ダイアフラム（図示せず）と結合するためのダイアフラム面７２２とを含む。チェストピース７３は、非デジタル聴診器７０のチェストピースホルダと相補的なプラットフォーム７３１と、ダイアフラム（図示せず）と結合するためのダイアフラム面７３２とを含む。チェストピース７２のダイアフラムは、異なる被験者に聴診を行うために、チェストピース７３のダイアフラムよりも大きい。交換可能なチェストピースの設計は、本開示の非デジタル聴診器６０および７０が異なる聴診シナリオにおいて適用されることを可能にする。
【００８８】
図１５を参照すると、本開示の実施形態によるデジタル聴診器１０の斜視図が提供されている。デジタル聴診器１０の近位部分Ｂを図１３に示す。デジタル聴診器１０は、近位部分Ｂに配置された出力モジュール１６を含み、出力モジュール１６は信号入力コンポーネント（図示せず）に接続することができ、信号入力コンポーネントに電気的に結合され、デジタル聴診器１０からデジタル信号または他の信号を転送するためのポゴピンコネクタ１６１と、ポゴピンコネクタ１６１を取り囲むオスネジ山１６２と、オスネジ山１６２の内側に配置された１つまたは複数のラッチ１６３とを含む。
【００８９】
図１６を参照すると、本開示の実施形態による、デジタル聴診器８０および信号入力コンポーネント２００の斜視図が提供される。図１６は、デジタル聴診器８０の近位部分Ｂおよび信号入力コンポーネント２００の末端部分のみを示す。デジタル聴診器８０は、近位部分Ｂ上に出力モジュール８６を含み、出力モジュール８６は、信号入力コンポーネント２００に電気的に結合され、デジタル聴診器８０からデジタル信号または他のデータを転送するための第１のポゴピン８６１と、第１のポゴピン８６１を取り囲む第１のオスネジ山８６２と、第１のオスネジ山８６２の内側に配置された第１のラッチ８６３とを含む。信号入力コンポーネント２００は、デジタル信号または聴診結果を他の装置やユーザに転送するためのインターフェースである。信号入力コンポーネント２００は、第１のメスネジ山２０１と、第１のメスネジ山２０１によって取り囲まれた第１のポゴピンコネクタ２０２と、第１のラッチ溝２０３とを含む。信号入力コンポーネント２００は、Ｙ字管、オーディオ出力ジャック、電話ジャック、またはワイヤレス信号伝送コンポーネントとすることができる。信号入力コンポーネント２００と接続するとき、第１のオスネジ山８６２は、信号入力コンポーネント２００の第１のメスネジ山２０１と嵌合して結合され、第１のポゴピン８６１は、第１のメスネジ山２０１によって囲まれた第１のポゴピンコネクタ２０２と接触し、第１のラッチ８６３は、信号入力コンポーネント２００の第１のラッチ溝２０３に結合される。出力モジュール８６および信号入力コンポーネント２００の末端部分は、互いに相補的である。したがって、図１６の構成および素子の代わりに、第２のオスネジ山（図示せず）を信号入力コンポーネント２００の一部とすることができ、第２のメスネジ山（図示せず）を出力モジュール８６の一部とすることができ、第２のラッチ（図示せず）を信号入力コンポーネント２００の一部とすることができ、第２のラッチ溝（図示せず）を出力モジュール８６の一部とすることができ、第２のポゴピンコネクタ（図示せず）を信号入力コンポーネント２００の一部とすることができ、第２のポゴピン（図示せず）を出力モジュール８６の一部とすることができる。
【００９０】
図１７Ａ〜図１７Ｃを参照すると、本開示の一実施形態による、複数のモジュール式デジタル聴診器８０および様々な信号入力コンポーネント３００、４００、および５００の斜視図が提供される。出力モジュール８６を用いて、モジュール式デジタル聴診器８０は、様々な信号入力コンポーネントと共に動作し、動作可能に接続することができる。信号入力コンポーネント２００、３００、４００、および５００は、デジタル信号またはデータをユーザまたは他の装置に伝送するためのモジュールである。信号入力コンポーネント２００、３００、４００、および５００は、Ｙ字管、オーディオ出力ジャック、電話ジャック、または無線信号伝送コンポーネントとすることができる。ワイヤレス信号伝送コンポーネントは、ブルートゥース（登録商標）ドングル（Ｂｌｕｅｔｏｏｔｈ（登録商標）  ｄｏｎｇｌｅ）、Ｗｉｆｉ（登録商標）アンテナなどとすることができる。出力モジュール６６は、マーク８６４をさらに含む。
【００９１】
出力モジュール８６と信号入力コンポーネント２００、３００、４００、および５００の間のそれぞれの結合を補助するために、回転留め具９０を使用することができる。回転留め具９０は、出力モジュール８６の少なくとも一部、または信号入力コンポーネント２００、３００、４００、および５００を覆うことができる。回転留め具９０は、マーク９１と、内部構造（図示せず）とを含む。内側構造は、クリップまたは糸であってもよい。回転留め具９０は信号入力コンポーネント２００、３００、４００、および５００が出力モジュール８６に対して相補的な構造を有するときに結合を補助することができ、信号入力コンポーネント３００、４００、または５００が出力モジュール８６に対して相補的な構造を欠くときに結合を補助することもできる。例えば、信号入力コンポーネント５００および出力モジュール８６の両方がオスネジ山を有する場合、それらは結合することができず、回転留め具９０が２つの要素の間にあり、それらと組み合わされると、出力モジュール８６および信号入力コンポーネント５００の結合が可能になる。回転留め具９０は、最初に信号入力コンポーネント２００、３００、４００、または５００に結合され、次に出力モジュール８６に結合されてもよい。マーク９１は、ユーザが回転留め具９０と、信号入力コンポーネント２００、３００、４００、および５００と、出力モジュール８６とを正確に位置決めするためのマーキングである。回転留め具９０および出力モジュール８６を結合するとき、ユーザは、回転留め具９０のマーク９１を出力モジュール８６のマーク８６４と位置合わせする必要がある。回転留め具９０はまた、信号入力コンポーネント２００、３００、４００、または５００と出力モジュール８６との間の偶発的な転位を防止するための安全対策であり得る。上記コンポーネント間の偶発的な転位は、被験者が聴診中に不十分なコンプライアンスを有する場合に起こり得る。ユーザは、出力モジュール８６および信号入力コンポーネント２００、３００、４００、または５００を移動させる前に、モジュール式デジタル聴診器８０上の回転留め具９０を巻き戻すか、または緩めなければならない。
【００９２】
図１８を参照すると、本開示の例示的な実施形態による、回転留め具９０および信号入力コンポーネント５００の斜視図が提供される。信号入力コンポーネント５００はポゴピンコネクタ５０２を含み、回転留め具９０に既に結合されている。回転留め具９０は、マーク９１と、ノブ９２と、スリーブ９３とを含んでいる。スリーブ９３は、デジタル聴診器１０、２０、３０、４０、５０、または８０の出力モジュールと相補的な構造である。スリーブ９３はまた、信号入力コンポーネント５００を覆い、信号入力コンポーネント５００とデジタル聴診器１０、２０、３０、４０、５０、または８０との間の結合を補助することができる。結合は、ポゴピンコネクタ５０２およびスリーブ９３によって容易にすることができ、クリップ機構は、スリーブ９３および出力モジュールの間の結合に十分であり得る。しかしながら、信号入力コンポーネント５００を切り離すためには、ユーザは、ノブ９１を巻き戻さなければならず、ノブ９１には回転Ｒ３が必要である。ノブ９１は、偶発的な転位を防止するための安全対策である。
【００９３】
上記に示され、説明された実施形態は単なる例である。デジタル聴診器の他の特徴など、多くの詳細が当技術分野でしばしば見られる。したがって、多くのそのような詳細は示されておらず、説明されてもいない。本技術の多数の特徴および利点が本開示の構造および機能の詳細とともに、前述の説明に記載されているが、本開示は例示的なものにすぎず、特許請求の範囲で使用される用語の広い一般的な意味によって確立される完全な範囲まで、およびそれを含めて、詳細に、特に、本開示の原理内の部品の形状、サイズ、および配置に関して、変更を行うことができる。したがって、上述の実施形態は、特許請求の範囲内で修正され得ることが理解されるのであろう。
【図面の簡単な説明】
【００９４】
【図１】図１は、本開示の例示的な実施形態によるデジタル聴診器の斜視図である。
【図２】図２は、本開示の例示的な実施形態によるデジタル聴診器の別の斜視図である。
【図３】図３は、本開示の例示的な実施形態によるデジタル聴診器の分解図である。
【図４】図４Ａおよび４Ｂは、本開示の例示的な実施形態による、チェストピースホルダ前面図および背面図であり、図４Ｃはチェストピースホルダの斜視図であり、図４Ｄおよび４Ｅは、チェストピースホルダの断面図である。
【図５】図５Ａおよび５Ｂは、本開示の例示的な実施形態による、異なる状態にあるチェストピースおよびチェストピースホルダの斜視図である。
【図６】図６Ａおよび６Ｂは、本開示の例示的な実施形態による、別のデジタル聴診器の分解図である。
【図７】図７は、本開示の例示的な実施形態による、別のデジタル聴診器の分解図である。
【図８】図８Ａおよび図８Ｂは、本開示の例示的な実施形態による、異なる状態にある仕切板および切換部品の斜視図である。
【図９】図９Ａおよび９Ｂは、異なる状態にあるデジタル聴診器の分解図であり、図９Ｃおよび９Ｄは、本開示の例示的な実施形態による、異なる状態にあるデジタル聴診器の斜視図である。
【図１０】図１０は、本開示の例示的な実施形態による、別のデジタル聴診器の分解図である。
【図１１】図１１Ａおよび１１Ｂは、本開示の例示的な実施形態による、別のデジタル聴診器の斜視図である。
【図１２】図１２は、本開示の例示的な実施形態による、図１１Ａおよび１１Ｂのデジタル聴診器の分解図である。
【図１３】図１３は、本開示の例示的な実施形態による、非デジタル聴診器の分解図である。
【図１４】図１４は、本開示の例示的な実施形態による、別の非デジタル聴診器の分解図である。
【図１５】図１５は、本開示の例示的な実施形態による、デジタル聴診器の近位部分上の斜視図である。
【図１６】図１６は、本開示の例示的な実施形態による、信号入力コンポーネントおよびデジタル聴診器の近位部分の斜視図である。
【図１７】図１７Ａ〜１７Ｃは、本開示の例示的な実施形態による、信号入力コンポーネント、デジタル聴診器、および複数の回転留め具の斜視図である。
【図１８】図１８は、本開示の例示的な実施形態による、回転留め具および信号入力コンポーネントの斜視図である。
【図１】
2020531119.tif 000003
【図２】
2020531119.tif 000004
【図３】
2020531119.tif 000005
【図４Ａ】
2020531119.tif 000006
【図４Ｂ】
2020531119.tif 000007
【図４Ｃ】
2020531119.tif 000008
【図４Ｄ】
2020531119.tif 000009
【図４Ｅ】
2020531119.tif 000010
【図５Ａ】
2020531119.tif 000011
【図５Ｂ】
2020531119.tif 000012
【図６Ａ】
2020531119.tif 000013
【図６Ｂ】
2020531119.tif 000014
【図７】
2020531119.tif 000015
【図８Ａ】
2020531119.tif 000016
【図８Ｂ】
2020531119.tif 000017
【図９Ａ】
2020531119.tif 000018
【図９Ｂ】
2020531119.tif 000019
【図９Ｃ】
2020531119.tif 000020
【図９Ｄ】
2020531119.tif 000021
【図１０】
2020531119.tif 000022
【図１１Ａ】
2020531119.tif 000023
【図１１Ｂ】
2020531119.tif 000024
【図１２】
2020531119.tif 000025
【図１３】
2020531119.tif 000026
【図１４】
2020531119.tif 000027
【図１５】
2020531119.tif 000028
【図１６】
2020531119.tif 000029
【図１７Ａ】
2020531119.tif 000030
【図１７Ｂ】
2020531119.tif 000031
【図１７Ｃ】
2020531119.tif 000032
【図１８】
2020531119.tif 000033
【国際調査報告】
2020531119.tif 000034